【手続補正書】
【提出日】平成22年9月14日(2010.9.14)
【手続補正１】
【補正対象書類名】特許請求の範囲
【補正対象項目名】全文
【補正方法】変更
【補正の内容】
【特許請求の範囲】
【請求項１】
物体の識別または検出方法であって、
ａ．前記物体の少なくとも一部上または一部中に、
ｉ．１つまたは複数の光ルミネセンス燐光材料と
ｉｉ．１つまたは複数の光ルミネセンス蛍光材料と
を含む有効量の光ルミネセンス組成物を施すステップであり、
前記１つまたは複数の光ルミネセンス燐光材料は、前記組成物上に入射する励起光源からの電磁放射線、または別の光ルミネセンス材料の発光、またはその両方によってチャージまたは活性化されると、電磁エネルギーを選択的に吸収し、放射し、前記１つまたは複数の光ルミネセンス蛍光材料は、前記１つまたは複数の光ルミネセンス材料からの発光を選択的に吸収し、電磁エネルギーを放射することによって、選択された放射シグナルであって、その一部またはすべてが電磁スペクトルの赤外部分にある放射シグナルを示し、前記光ルミネセンス材料は、１つの前記光ルミネセンス材料の発光が、別の前記光ルミネセンス材料の光吸収と一致するように選択され、前記選択された放射シグナルは、前記選択された光ルミネセンス蛍光材料のうちの１つまたは複数からの発光であり、そのような発光は、任意の他の光ルミネセンス材料によって本質的に吸収されないステップと、
ｂ．前記物体をチャージまたは活性化するステップと、
ｃ．前記チャージされた物体からの前記放射シグナルを検出するステップと
を含む方法。
【請求項２】
前記光ルミネセンス蛍光材料のうちの１つまたは複数が、前記励起光源とチャージングまたは活性化のための前記選択された光ルミネセンス材料の吸光度スペクトルとを最適に合わせるように選択することができる、請求項１に記載の方法。
【請求項３】
前記物体のチャージングまたは活性化とその放射シグナルの検出が、空間的および時間的に分離されている、請求項１に記載の方法。
【請求項４】
前記光ルミネセンス蛍光材料が、液体担体であって、そのような光ルミネセンス蛍光材料が可溶性である液体担体を含む光ルミネセンス組成物から施される、請求項１に記載の方法。
【請求項５】
前記光ルミネセンス蛍光材料が、液体担体であって、そのような光ルミネセンス蛍光材料が可溶性である液体担体を含む光ルミネセンス組成物から施される、請求項２または３に記載の方法。
【請求項６】
物体の識別または検出方法であって、
ａ．前記物体の少なくとも一部上または一部中に、
ｉ．１つまたは複数の光ルミネセンス燐光材料と
ｉｉ．１つまたは複数の光ルミネセンス蛍光材料と
を含む有効量の光ルミネセンス組成物を施すステップであり、
前記１つまたは複数の光ルミネセンス燐光材料は、前記組成物上に入射する励起光源からの電磁放射線、または別の光ルミネセンス材料からの発光、またはその両方によってチャージまたは活性化されると、電磁エネルギーを選択的に吸収し、放射し、前記１つまたは複数の光ルミネセンス蛍光材料は、前記１つまたは複数の光ルミネセンス材料からの発光を選択的に吸収し、電磁エネルギーを放射することによって、選択された放射シグナルであって、その一部またはすべてが電磁スペクトルの赤外部分にある放射シグナルを示し、前記光ルミネセンス材料は、１つの前記光ルミネセンス材料の発光が、別の前記光ルミネセンス材料の光吸収と一致するように選択され、前記選択された放射シグナルは、前記選択された光ルミネセンス蛍光材料のうちの１つまたは複数からの発光であり、そのような発光は、任意の他の光ルミネセンス材料によって本質的に吸収されず、前記光ルミネセンス燐光材料は、高い残光持続性および輝度のアルカリ土類アルミン酸塩、またはアルカリ土類ケイ酸塩、またはこれらの組合せを含むことによって、高残光性および高輝度を有する前記選択された放射シグナルをもたらすステップと、
ｂ．前記物体をチャージまたは活性化するステップと、
ｃ．前記チャージされた物体からの前記放射シグナルを検出するステップと
を含む方法。
【請求項７】
前記光ルミネセンス燐光材料が、ユウロピウムによって活性化される、非放射性ＩＩＡ族金属酸化物アルミン酸塩、およびランタニド系列の希土類材料、イットリウム、スズ、マンガン、またはビスマスのうちの少なくとも１つの他の元素を含む、請求項６に記載の方法。
【請求項８】
前記光ルミネセンス蛍光材料のうちの１つまたは複数が、前記励起光源と活性化のための前記選択された光ルミネセンス材料の吸光度スペクトルとを最適に合わせるように選択することができる、請求項６に記載の方法。
【請求項９】
前記物体のチャージングまたは活性化とその放射シグナルの検出が、空間的および時間的に分離されている、請求項６に記載の方法。
【請求項１０】
前記光ルミネセンス蛍光材料が、液体担体であって、そのような光ルミネセンス蛍光材料が可溶性である液体担体を含む光ルミネセンス組成物から施される、請求項６に記載の方法。
【請求項１１】
前記光ルミネセンス蛍光材料が、液体担体であって、そのような光ルミネセンス蛍光材料が可溶性である液体担体を含む光ルミネセンス組成物から施される、請求項７から９のいずれか一項に記載の方法。
【請求項１２】
前記選択された放射シグナルが、数値、アルファベット、および／もしくは英数字のマーキング、または記号として検出される、請求項６から１０のいずれか一項に記載の方法。
【請求項１３】
前記有効量の光ルミネセンス組成物が、
ａ．１つまたは複数の液体担体と、
ｂ．１つまたは複数のポリマー結合剤と、
ｃ．１つまたは複数のレオロジー調節剤と、
ｄ．１つまたは複数の分散剤と
をさらに含み、前記光ルミネセンス燐光材料が、前記組成物内に均一に分布しており、前記レオロジー調節剤と分散剤が前記液体担体中に可溶性である、請求項６に記載の方法。
【請求項１４】
前記光ルミネセンス燐光材料が、ユウロピウムによって活性化される、非放射性ＩＩＡ族金属酸化物アルミン酸塩、およびランタニド系列の希土類材料、イットリウム、スズ、マンガン、またはビスマスのうちの少なくとも１つの他の元素を含む、請求項１３に記載の方法。
【請求項１５】
前記光ルミネセンス組成物が、任意の追加の吸収性着色剤顔料を含まない、請求項１３に記載の方法。
【請求項１６】
前記光ルミネセンス蛍光材料のうちの１つまたは複数が、前記励起光源と活性化のための前記選択された光ルミネセンス材料の吸光度スペクトルとを最適に合わせるように選択することができる、請求項１３に記載の方法。
【請求項１７】
前記物体のチャージングまたは活性化とその放射シグナルの検出が、空間的および時間的に分離されている、請求項１３に記載の方法。
【請求項１８】
前記光ルミネセンス蛍光材料が、液体担体であって、そのような光ルミネセンス蛍光材料が可溶性である液体担体を含む光ルミネセンス組成物から施される、請求項１３に記載の方法。
【請求項１９】
前記光ルミネセンス蛍光材料が、液体担体であって、そのような光ルミネセンス蛍光材料が可溶性である液体担体を含む光ルミネセンス組成物から施される、請求項１４から１７のいずれか一項に記載の方法。
【請求項２０】
前記放射シグナルの検出または識別が、赤外放射シグナル、低レベル可視放射シグナル、またはこれらの組合せを検出するように設計された装置を用いて行われる、請求項１から４、６から１０、または１３から１８のいずれかに記載の識別方法。
【請求項２１】
請求項１から４、６から１０、または１３から１８のいずれかに記載の任意の方法によってもたらされる識別または検出に適した光ルミネセンス物体であって、前記光ルミネセンス組成物が、前記物体上に施されることによって光ルミネセンス層をもたらすか、または前記物体中に施される、光ルミネセンス物体。
【請求項２２】
請求項１から４、６から１０、または１３から１８のいずれかに記載の任意の方法によってもたらされる識別または検出に適した光ルミネセンス物体であって、前記光ルミネセンス組成物が、１つまたは複数の光ルミネセンス蛍光材料を含む別の光ルミネセンス層の上下いずれかの前記物体上に施される、光ルミネセンス物体。
【請求項２３】
請求項１から４、６から１０、または１３から１８のいずれかに記載の任意の方法によってもたらされる識別または検出に適した光ルミネセンス物体であって、前記光ルミネセンス組成物が施されることによって前記物体上に層を形成し、接着材料の別の層をさらに含む、光ルミネセンス物体。
【請求項２４】
請求項１から４、６から１０、または１３から１８のいずれかに記載の任意の方法によってもたらされる識別または検出に適した光ルミネセンス物体であって、前記光ルミネセンス組成物が、前記物体の近位にある第１反射層上に施されることによって第２光ルミネセンス層を形成し、前記第２光ルミネセンス層上に第３層が施され、さらに、そのような第３層は１つまたは複数の光ルミネセンス蛍光材料を含む、光ルミネセンス物体。
【請求項２５】
移転可能な光ルミネセンスフィルムまたはプレートを使用することによってもたらされる、識別または検出に適した光ルミネセンス物体であって、前記移転可能なフィルムまたはプレートは、
ａ．剥離材料の層でコーティングされた担体材料と、
ｂ．液体担体に可溶性である、１つまたは複数の光ルミネセンス蛍光材料を含み、（ａ）に由来する剥離層と接触している光ルミネセンス層と、
ｃ．（ｂ）に由来する層と接触している、請求項１から４、６から１０、または１３から１８のいずれかに記載の前記光ルミネセンス組成物の層と、
ｄ．（ｃ）に由来する層と接触している反射層と、
ｅ．（ｄ）に由来する層と接触している接着層と、
ｆ．剥離材料の層でコーティングされているか、または剥離特性を有するカバーシートであって、前記剥離層は、前記接着層（ｅ）と接触しているカバーシートと
を含む光ルミネセンス物体。